(57)【特許請求の範囲】
【請求項１】
第１感光ドラムと、
前記第１感光ドラムと接触する第１現像ローラと、
前記第１現像ローラを駆動させるための駆動力が入力される第１駆動入力部と、
前記第１駆動入力部に駆動伝達可能に連結可能な第１カップリング部材と、
第２感光ドラムと、
前記第２感光ドラムと接触する第２現像ローラと、
前記第２現像ローラを駆動させるための駆動力が入力される第２駆動入力部と、
前記第２駆動入力部に駆動伝達可能に連結可能な第２カップリング部材と、
前記第１現像ローラの軸線方向に前記第１カップリング部材を進退させて、前記第１カップリング部材を前記第１駆動入力部に対して連結または連結解除させるとともに、前記第２現像ローラの軸線方向に前記第２カップリング部材を進退させて、前記第２カップリング部材を前記第２駆動入力部に対して連結または連結解除させる連結機構と、
前記第２現像ローラを前記第２感光ドラムに対して接触または離間させる接離機構と
を備え、
前記連結機構は、
前記第１カップリング部材と前記第１駆動入力部とを連結させるとともに、前記第２カップリング部材と前記第２駆動入力部とを連結させる第１位置と、
前記第１カップリング部材と前記第１駆動入力部とを連結させるとともに、前記第２カップリング部材と前記第２駆動入力部との連結を解除する第２位置とに変位され、かつ、
前記第１現像ローラの前記軸線方向および前記第２現像ローラの前記軸線方向と直交する直交方向にスライド移動可能に構成される移動部材を備え、
前記移動部材は、
前記第１カップリング部材と接触して、前記第１カップリング部材を進退させる第１カム部と、
前記第２カップリング部材と接触して、前記第２カップリング部材を進退させる第２カム部とを備え、
前記接離機構は、
前記連結機構が前記第１位置に配置されるときに、前記第２現像ローラを前記第２感光ドラムに接触させ、
前記連結機構が前記第２位置に配置されるときに、前記第２現像ローラを前記第２感光ドラムから離間させることを特徴とする、画像形成装置。
【請求項２】
前記接離機構が前記第２現像ローラを前記第２感光ドラムから離間させた後に、前記連結機構が前記第２位置に配置されることを特徴とする、請求項１に記載の画像形成装置。
【請求項３】
前記第１感光ドラムおよび前記第２感光ドラムは、前記直交方向に沿って並列配置され、
前記移動部材は、
前記直交方向一方にスライド移動されることにより、前記連結機構を前記第１位置から前記第２位置に変位させ、
前記直交方向他方にスライド移動されることにより、前記連結機構を前記第２位置から前記第１位置に変位させることを特徴とする、請求項１または２に記載の画像形成装置。
【請求項４】
前記移動部材は、前記接離機構を兼ねることを特徴とする、請求項３に記載の画像形成装置。
【請求項５】
前記連結機構は、前記第１カップリング部材と前記第１駆動入力部との連結を解除するとともに、前記第２カップリング部材と前記第２駆動入力部との連結を解除する第３位置に、さらに変位され、
前記接離機構は、前記第１現像ローラを前記第１感光ドラムに対して接触または離間させるように構成され、前記連結機構が前記第３位置に配置されるときに、前記第１現像ローラを前記第１感光ドラムから離間させるとともに、前記第２現像ローラを前記第２感光ドラムから離間させることを特徴とする、請求項１〜４のいずれか一項に記載の画像形成装置。
【請求項６】
前記接離機構が、前記第１現像ローラを前記第１感光ドラムから離間させ、前記第２現像ローラを前記第２感光ドラムから離間させた後に、前記連結機構が前記第３位置に配置されることを特徴とする、請求項５に記載の画像形成装置。
【請求項７】
前記第１カップリング部材は、前記第１駆動入力部に対して、前記第１現像ローラの前記第１感光ドラムに対する接離方向に揺動可能であり、
前記第２カップリング部材は、前記第２駆動入力部に対して、前記第２現像ローラの前記第２感光ドラムに対する接離方向に揺動可能であることを特徴とする、請求項１〜６のいずれか一項に記載の画像形成装置。
【請求項８】
前記第１カップリング部材および前記第２カップリング部材を駆動する１つの駆動源を、さらに備えることを特徴とする、請求項１〜７のいずれか一項に記載の画像形成装置。
【請求項９】
前記駆動源は、前記第１感光ドラムおよび前記第２感光ドラムを駆動することを特徴とする、請求項８に記載の画像形成装置。
【発明の詳細な説明】
【技術分野】
【０００１】
本発明は、電子写真方式が採用される画像形成装置に関する。
【背景技術】
【０００２】
画像形成装置として、ブラック、イエロー、マゼンタおよびシアンの各色に対応して現像ローラおよび感光ドラムが設けられた、タンデム型のカラーレーザプリンタが知られている。
【０００３】
このようなタンデム型のカラーレーザプリンタでは、ブラックの現像ローラおよび感光ドラムのみを駆動させてモノクロ印刷をするモノクロモードと、すべての現像ローラおよび感光ドラムを駆動させてカラー印刷をするカラーモードとに切り替え可能なものが提案されている（例えば、特許文献１参照。）。
【０００４】
この提案に係る画像形成装置では、正逆回転可能なモータと、モータに連結された揺動ギヤとが備えられている。
【０００５】
モータが正方向（または逆方向）に回転されると、揺動ギヤが一方側に揺動して、ブラックの現像器に設けられた現像ギヤに連結される。これにより、画像形成装置がモノクロモードに切り替えられ、モータの駆動力をブラックの現像器のみに伝達することができる。
【０００６】
一方、モータが逆方向（または正方向）に回転されると、揺動ギヤが他方側に揺動して、すべての現像器に設けられた現像ギヤに連結される。これにより、画像形成装置がカラーモードに切り替えられ、モータの駆動力をすべての現像器に伝達することができる。
【先行技術文献】
【特許文献】
【０００７】
【特許文献１】特開２００７−７２０２１号公報
【発明の概要】
【発明が解決しようとする課題】
【０００８】
しかるに、上記した特許文献１に記載の現像装置では、駆動源からカラーの現像器に駆動力を伝達するためのギヤ列と、駆動源からブラックの現像器に駆動力を伝達するためのギヤ列とを別々に備えている。
【０００９】
そのため、駆動源から各現像器へ駆動力を伝達するギヤ列が複雑になるという不具合がある。
【００１０】
そこで、本発明の目的は、簡易な構成で、モノクロモードおよびカラーモードを切り替えることができる画像形成装置を提供することにある。
【課題を解決するための手段】
【００１１】
（１）上記した目的を達成するために、本発明の画像形成装置は、第１感光ドラムと、第１感光ドラムと接触する第１現像ローラと、第１現像ローラを駆動させるための駆動力が入力される第１駆動入力部と、第１駆動入力部に駆動伝達可能に連結可能な第１カップリング部材と、第２感光ドラムと、第２感光ドラムと接触する第２現像ローラと、第２現像ローラを駆動させるための駆動力が入力される第２駆動入力部と、第２駆動入力部に駆動伝達可能に連結可能な第２カップリング部材とを備えている。
【００１２】
また、本発明の画像形成装置は、第１現像ローラの軸線方向に第１カップリング部材を進退させて、第１カップリング部材を第１駆動入力部に対して連結または連結解除させるとともに、第２現像ローラの軸線方向に第２カップリング部材を進退させて、第２カップリング部材を第２駆動入力部に対して連結または連結解除させる連結機構を備えている。
【００１３】
また、連結機構は、第１カップリング部材と第１駆動入力部とを連結させるとともに、第２カップリング部材と第２駆動入力部とを連結させる第１位置と、第１カップリング部材と第１駆動入力部とを連結させるとともに、第２カップリング部材と第２駆動入力部との連結を解除する第２位置とに変位される。
【００１４】
このような構成によれば、連結機構を第１位置に変位させたときには、第１現像ローラおよび第２現像ローラの両方に駆動力を伝達することができ、連結機構を第２位置に変位させたときには、第１現像ローラのみに駆動力を伝達することができる。
【００１５】
そのため、連結機構によって第２カップリング部材と第２駆動入力部とを連結または連結解除するという簡易な構成で、モードを切り替えることができる。
（２）また、本発明の画像形成装置は、第２現像ローラを第２感光ドラムに対して接触または離間させる接離機構をさらに備えていてもよい。
【００１６】
この場合、接離機構は、連結機構が第１位置に配置されるときに、第２現像ローラを第２感光ドラムに接触させ、連結機構が第２位置に配置されるときに、第２現像ローラを第２感光ドラムから離間させてもよい。
【００１７】
このような構成によれば、第２現像ローラの駆動を停止させるとともに、第２現像ローラを第２感光ドラムから離間させることができる。
【００１８】
そのため、第２感光ドラムに追従して第２現像ローラが回転しないので、第２現像ローラと第２感光ドラムとの摺擦による劣化を抑制することができる。
（３）また、連結機構は、接離機構が第２現像ローラを第２感光ドラムから離間させた後に、第２位置に配置されてもよい。
【００１９】
このような構成によれば、第２現像ローラを第２感光ドラムから離間させた後に、第２現像ローラの駆動を停止させることができる。
【００２０】
これにより、第２現像ローラの駆動を停止した後に第２現像ローラを第２感光ドラムから離間させる場合と比べ、第２現像ローラと第２感光ドラム５との周速差が低減されるため、第２現像ローラと第２感光ドラムとの摩擦抵抗が増大することを抑制できる。
【００２１】
そのため、第２現像ローラと第２感光ドラムとの摺擦による劣化をより抑制することができる。
（４）また、第１感光ドラムおよび第２感光ドラムは、第１現像ローラの軸線方向および第２現像ローラの軸線方向と直交する直交方向に沿って並列配置され、連結機構は、直交方向にスライド移動可能に構成される移動部材を備えていてもよい。
【００２２】
この場合、移動部材は、直交方向一方にスライド移動されることにより、連結機構を第１位置から第２位置に変位させ、直交方向他方にスライド移動されることにより、連結機構を第２位置から第１位置に変位させてもよい。
【００２３】
このような構成によれば、移動部材を直交方向にスライド移動させることにより、第１カップリング部を第１駆動入力部に対して連結または連結解除させるとともに、第２カップリング部材を第２駆動入力部に対して連結または連結解除させることができる。
【００２４】
そのため、簡易な構成で、第１カップリング部および第２カップリング部を進退させるための機構を個別に設ける場合と比べて、簡易な構成で、モードを切り替えることができる。
（５）また、移動部材は、接離機構を兼ねてもよい。
【００２５】
このような構成によれば、連結機構および接離機構の部品点数を低減することができる。
（６）また、連結機構は、第１カップリング部材と第１駆動入力部との連結を解除するとともに、第２カップリング部材と第２駆動入力部との連結を解除する第３位置に、さらに変位されてもよい。
【００２６】
この場合、接離機構は、第１現像ローラを第１感光ドラムに対して接触または離間させるように構成され、連結機構が第３位置に配置されるときに、第１現像ローラを第１感光ドラムから離間させるとともに、第２現像ローラを第２感光ドラムから離間させてもよい。
【００２７】
このような構成によれば、さらに、第１現像ローラおよび第２現像ローラの両方の駆動を停止させるモードに切り替えることができる。
【００２８】
また、第１感光ドラムおよび第２感光ドラムが駆動に追従して第１現像ローラおよび第２現像ローラが回転しないので、第１現像ローラと第１感光ドラムとの摺擦、および、第２現像ローラと第２感光ドラムとの摺擦による劣化を抑制することができる。
（７）また、接離機構が、第１現像ローラを第１感光ドラムから離間させ、第２現像ローラを第２感光ドラムから離間させた後に、連結機構が第３位置に配置されてもよい。
【００２９】
このような構成によれば、第１現像ローラを第１感光ドラムから離間させ、第２現像ローラを第２感光ドラムから離間させた後に、第１現像ローラおよび第２現像ローラの駆動を停止させることができる。
【００３０】
そのため、第１現像ローラおよび第２現像ローラの駆動が停止された後において、第１現像ローラと第１感光ドラムとの摺擦、および、第２現像ローラと第２感光ドラムとの摺擦を確実に防止することができる。
（８）また、第１カップリング部材は、第１駆動入力部に対して、第１現像ローラの第１感光ドラムに対する接離方向に揺動可能であり、第２カップリング部材は、第２駆動入力部に対して、第２現像ローラの第２感光ドラムに対する接離方向に揺動可能であってもよい。
【００３１】
このような構成によれば、第１カップリング部材と第１駆動入力部とが連結された状態で、第１現像ローラを第１感光ドラムから離間させることができる。
【００３２】
また、第２カップリング部材と第２駆動入力部とが連結された状態で、第２現像ローラを第２感光ドラムから離間させることができる。
（９）また、本発明の画像形成装置は、第１カップリング部材および第２カップリング部材を駆動する１つの駆動源を、さらに備えてもよい。
【００３３】
このような構成によれば、第１カップリング部材および第２カップリング部材を、共通の駆動源で駆動させることができる。
【００３４】
そのため、画像形成装置の構成を簡略化することができる。
（１０）また、駆動源は、第１感光ドラムおよび第２感光ドラムを駆動してもよい。
【００３５】
このような構成によれば、第１感光ドラムおよび第２感光ドラムを、共通の駆動源で駆動させることができる。
【００３６】
そのため、画像形成装置の構成を、より簡略化することができる。
【発明の効果】
【００３７】
本発明の画像形成装置によれば、連結機構によって第２カップリング部材と第２駆動入力部とを連結または連結解除するという簡易な構成で、モードを切り替えることができる。
【図面の簡単な説明】
【００３８】
【図１】図１は、本発明の画像形成装置の一例としてのプリンタを示す中央断面図である。
【図２】図２は、図１に示す各現像カートリッジに駆動力を伝達する駆動入力ユニットの斜視図である。
【図３】図３は、図２に示す駆動入力ユニットの平面図であって、全離間モードの状態を示す。
【図４】図４は、図２に示す駆動入力ユニットの側断面図であって、全離間モードの状態を示す。
【図５】図５は、図２に示す駆動入力ユニットの平面図であって、全離間モードからモノクロ印刷モードへの切り替え途中の状態を示す。
【図６】図６は、図２に示す駆動入力ユニットの側断面図であって、全離間モードからモノクロ印刷モードへの切り替え途中の状態を示す。
【図７】図７は、図２に示す駆動入力ユニットの平面図であって、モノクロ印刷モードの状態を示す。
【図８】図８は、図２に示す駆動入力ユニットの側断面図であって、モノクロ印刷モードの状態を示す。
【図９】図９は、図２に示す駆動入力ユニットの平面図であって、モノクロ印刷モードからカラー印刷モードへの切り替え途中の状態を示す。
【図１０】図１０は、図２に示す駆動入力ユニットの側断面図であって、モノクロ印刷モードからカラー印刷モードへの切り替え途中の状態を示す。
【図１１】図１１は、図２に示す駆動入力ユニットの平面図であって、カラー印刷モードの状態を示す。
【図１２】図１２は、図２に示す駆動入力ユニットの側断面図であって、カラー印刷モードの状態を示す。
【発明を実施するための形態】
【００３９】
１．プリンタの全体構成
図１に示すように、画像形成装置の一例としてのプリンタ１は、横置きタイプのダイレクトタンデム型カラープリンタである。
【００４０】
なお、以下の説明において、方向について言及する場合には、プリンタ１を水平に載置した状態を基準として、図１における紙面左側を後側とし、図１における紙面右側を前側とする。また、プリンタ１を前側から見たときを左右の基準とする。すなわち、図１の紙面手前側が左側であり、紙面奥側が右側である。
【００４１】
プリンタ１は、略ボックス形状の本体ケーシング２を備えている。本体ケーシング２の上端部には、トップカバー４が開閉可能に設けられている。プリンタ１は、各色に対応する４つのプロセスカートリッジ３を備えている。
【００４２】
各プロセスカートリッジ３は、本体ケーシング２内に着脱可能に設けられ、互いに前後方向（直交方向）に沿って間隔を隔てて並列配置されている。各プロセスカートリッジ３は、前側から後側に向かって、シアン、マゼンタ、イエローおよびブラックの各色に対応するように、順次、並列配置されている。各プロセスカートリッジ３は、ドラムカートリッジ１７と、ドラムカートリッジ１７に着脱可能に装着される現像カートリッジ７とを備えている。
【００４３】
ドラムカートリッジ１７は、感光ドラム５を備えている。
【００４４】
感光ドラム５は、左右方向に長手の円筒形状に形成されており、ドラムカートリッジ１７に回転可能に設けられている。なお、ブラックの感光ドラム５が第１感光ドラムの一例であり、イエローの感光ドラム５、マゼンタの感光ドラム５、および、シアンの感光ドラム５（以下、カラーの各感光ドラム５とする。）が第２感光ドラムの一例である。
【００４５】
現像カートリッジ７は、現像ローラ９を備えている。
【００４６】
現像ローラ９は、左右方向（軸線方向）に延び、現像カートリッジ７の後端部において後側から露出されるように設けられ、感光ドラム５に対して前上側から接触されている。なお、ブラックの感光ドラム５に接触される現像ローラ９が第１現像ローラの一例であり、カラーの各感光ドラム５に接触される現像ローラ９が第２現像ローラの一例である。
【００４７】
また、現像カートリッジ７は、現像ローラ９にトナーを供給する供給ローラ１６、現像ローラ９に供給されたトナーの厚みを規制する層厚規制ブレード１８を備え、それらの上側には、現像剤の一例としてのトナーが収容されている。
【００４８】
現像カートリッジ７内のトナーは、供給ローラ１６と現像ローラ９との間で正極性に摩擦帯電され、一定厚さの薄層として現像ローラ９の表面に担持される。
【００４９】
一方、各感光ドラム５の表面には、スコロトロン型帯電器６によって一様に帯電された後、ＬＥＤユニット１０によって所定の画像データに基づいて露光されることにより、画像データに基づく静電潜像が形成される。そして、現像ローラ９に担持されるトナーが各感光ドラム５の表面上の静電潜像に供給されることにより、感光ドラム５の表面上にトナー像（現像剤像）が担持される。
【００５０】
用紙Ｓは、本体ケーシング２の底部に設けられる給紙トレイ１１内に収容されており、各種ローラによって、後上側へＵターンするように搬送されて、所定のタイミングで１枚ずつ、感光ドラム５と搬送ベルト１２との間に給紙され、搬送ベルト１２によって、各感光ドラム５と各転写ローラ１３との間を前側から後側に向かって搬送される。このとき、用紙Ｓに、各色のトナー像が順次転写され、カラー画像が形成される。
【００５１】
そして、用紙Ｓは、加熱ローラ１４と加圧ローラ１９との間を通過するときに加熱および加圧される。このとき、用紙Ｓには、カラー画像が熱定着される。
【００５２】
その後、用紙Ｓは、前上側へＵターンするように搬送されて、トップカバー４に設けられる排紙トレイ１５に排紙される。
２．現像カートリッジ
現像カートリッジ７は、図２および図４に示すように、現像フレーム８の左端部において、供給ローラ１６および現像ローラ９に本体ケーシング２からの駆動力を入力するための現像カップリング部２１を備えている。
【００５３】
現像カップリング部２１は、現像カップリングカバー２２と、現像カップリングカバー２２内に回転可能に支持される現像カップリング雌部材２３とを備えている。
【００５４】
現像カップリングカバー２２は、現像フレーム８の左端面から左方に向かって突出する略円筒形状に形成されている。また、現像カップリングカバー２２は、離間係合部２７（図４参照）を備えている。
【００５５】
離間係合部２７は、現像カップリングカバー２２の下側外周面から、後下側へ向かって突出し、左右方向に延びる突条として形成されている。
【００５６】
現像カップリング雌部材２３は、左右方向に延びる略円柱形状に形成されている。現像カップリング雌部材２３の右端部には、ギヤ歯（図示せず）が形成されており、供給ローラ１６および現像ローラ９に駆動力を伝達するギヤ列（図示せず）に、駆動伝達可能に噛合されている。なお、ブラックの現像カートリッジ７に設けられる現像カップリング雌部材２３が第１駆動入力部の一例であり、カラーの各現像カートリッジ７に設けられる現像カップリング雌部材２３が第２駆動入力部の一例である。
【００５７】
また、現像カップリング雌部材２３の左端部には、現像カップリング雄部材３２（後述）の嵌合凸部３９（後述）が嵌合される２つの嵌合凹部２４（図４参照）が形成されている。
【００５８】
各嵌合凹部２４は、現像カップリング雌部材２３の左面から右側へ凹むように、約９０°の中心角を有する側面視略扇形状に形成され、互いにその中心角部分において連続されている。嵌合凹部２４の左側面視時計回り方向下流側の端面２５は、左右方向に沿って延びる平坦面として形成されている。また、嵌合凹部２４の左側面視時計回り方向上流側の端面２６は、左側面視時計回り方向上流側へ向かうに従って左側へ傾斜される傾斜面として形成されている。
【００５９】
また、現像カートリッジ７は、図３に示すように、現像フレーム８の右端部において、離間ボス２８を備えている。
【００６０】
離間ボス２８は、現像カップリングカバー２２と同径の略円筒形状に形成され、現像カップリングカバー２２と中心軸線を共有するように配置されている。また、離間ボス２８にも、現像カップリングカバー２２の離間係合部２７と同形状の離間係合部（図示せず）が、左右方向に投影したときに現像カップリングカバー２２の離間係合部２７と一致するように設けられている。
３．ドラムカートリッジ
ドラムカートリッジ１７は、現像カートリッジ７を収容可能な左右方向に長手の略枠形状に形成されており、その左右方向両側壁において、現像カップリング部２１および離間ボス２８を露出する露出溝（図示せず）が形成されている。
【００６１】
また、ドラムカートリッジ１７は、図４に示すように、現像カートリッジ７を感光ドラム５から離間させるための第１離間部材８１を備えている。
【００６２】
第１離間部材８１は、現像カートリッジ７の現像カップリングカバー２２および離間ボス２８の下側に１つずつ設けられている。第１離間部材８１は、回動軸８３と、被当接部８４と、押圧部８５とを一体的に備えている。
【００６３】
回動軸８３は、左右方向に延びる略円柱形状に形成され、ドラムカートリッジ１７の側壁に支持されている。
【００６４】
被当接部８４は、回動軸８３の下側部分から下側へ延びる略平板形状に形成され、その下側部分が前側へ向かって屈曲するように形成されている。
【００６５】
押圧部８５は、回動軸８３の上側部分から上側へ延びる略平板形状に形成され、その上側部分が前方へ向かって屈曲するように形成されている。
【００６６】
そして、第１離間部材８１は、回動軸８３において、ドラムカートリッジ１７に回動可能に支持されている。
【００６７】
第１離間部材８１は、押圧部８５が現像カップリングカバー２２または離間ボス２８に向かって前上側へ進出する押圧位置（図４参照）と、押圧部８５が現像カップリングカバー２２または離間ボス２８から後下側に退避される押圧解除位置（図１２参照）とに、回動軸８３を支点として回動される。
４．本体ケーシング
本体ケーシング２は、図２および図３に示すように、各現像カートリッジ７の現像カップリング部２１に駆動力を入力する駆動入力ユニット３１と、各感光ドラム５に駆動力を入力するドラムカップリング雄部材３３と、直動カム機構５１とを備えている。
（１）駆動入力ユニット
駆動入力ユニット３１は、現像カップリング雄部材３２と、アイドルギヤ４０とを備えている。
【００６８】
現像カップリング雄部材３２は、本体ケーシング２内において、各現像カートリッジ７の左側に１つずつ（合計４つ）配置されるように、前側から後側へ向かって互いに間隔を隔てて並列配置されている。なお、ブラックの現像カートリッジ７の左側に配置される現像カップリング雄部材３２が第１カップリング部材の一例であり、カラー（イエロー、マゼンタ、シアン）の各現像カートリッジ７の左側に配置される現像カップリング雄部材３２が第２カップリング部材の一例である。
【００６９】
また、現像カップリング雄部材３２は、本体ケーシング２内に位置固定される固定シャフト３６（図１１参照）と、固定シャフト３６に対してスライド可能な移動シャフト３７とを備えている。
【００７０】
固定シャフト３６は、左右方向に延びる略円柱形状に形成されている。固定シャフト３６の左端部には、ギヤ歯３８が形成されている。
【００７１】
移動シャフト３７は、左右方向に延び、右端部が閉鎖された略円筒形状に形成されている。移動シャフト３７の内径は、固定シャフト３６の外径よりも大径である。移動シャフト３７の右端部には、２つの嵌合凸部３９が形成されている。また、移動シャフト３７の左右方向中央には、鍔部３５が形成されている。
【００７２】
嵌合凸部３９は、移動シャフト３７の径方向両端部において、右面から右側へ延びる略柱形状に形成されている。なお、移動シャフト３７の周方向における嵌合凸部３９の長さは、現像カップリング雌部材２３の嵌合凹部２４の周方向長さよりも短い。
【００７３】
鍔部３５は、移動シャフト３７の外周面から径方向外側へ突出するように、移動シャフト３７と中心軸線を共有する側面視略円形状に形成されている。
【００７４】
そして、移動シャフト３７は、固定シャフト３６の右端部に対して、相対回転不能、かつ、左右方向にスライド可能に、わずかに遊びを有して嵌合（径方向外側から嵌合）されている。
【００７５】
これにより、移動シャフト３７は、右側へ進出されて、現像カップリング雌部材２３に連結される進出位置（図１１参照）と、進出位置から左側へ退避されて、現像カップリング雌部材２３との連結が解除される退避位置（図３参照）とにスライド可能である。また、移動シャフト３７は、固定シャフト３６に対する遊びの分、その径方向にわずかに揺動可能である。
【００７６】
また、移動シャフト３７は、付勢部材（図示せず）により、常には、進出位置に配置されるように、右側へ付勢されている。
【００７７】
アイドルギヤ４０は、各現像カップリング雄部材３２のギヤ歯３８の間に１つずつ（合計３つ）設けられ、前後方向に間隔を隔てて並列配置されている。各アイドルギヤ４０は、各現像カップリング雄部材３２のギヤ歯３８を前後方向に直列に連結している。
【００７８】
前後方向中央のアイドルギヤ４０には、本体ケーシング２内に設けられる駆動源の一例としてのモータ１００からの駆動力が入力される。これにより、各現像カップリング雄部材３２には、各アイドルギヤ４０を介して、モータ１００からの駆動力が入力される。
（２）ドラムカップリング雄部材
ドラムカップリング雄部材３３は、本体ケーシング２内において、各感光ドラム５の左側に１つずつ（合計４つ）設けられ、前後方向に互いに間隔を隔てて並列配置されている。
【００７９】
また、ドラムカップリング雄部材３３は、左右方向に延びる略円柱形状に形成されている。ドラムカップリング雄部材３３の左端部には、ギヤ歯４１が形成されている。また、ドラムカップリング雄部材３３は、その右端部において、感光ドラム５のドラムカップリング雌部材（図示せず）に相対回転不能に嵌合されている。なお、ドラムカップリング雄部材３３は、トップカバー４の開放に連動して、ドラムカップリング雌部材（図示せず）との連結が解除され、トップカバー４の閉鎖に連動して、ドラムカップリング雌部材（図示せず）に連結されるように構成されている。
【００８０】
各ドラムカップリング雄部材３３のギヤ歯４１には、モータ１００からの駆動力が入力される。
（３）直動カム機構
直動カム機構５１は、前後方向にスライド移動可能な左右１対の直動カム５２と、ドラムカートリッジ１７の第１離間部材８１と協働して現像カートリッジ７を感光ドラム５から離間させる第２離間部材８２と、両直動カム５２に同時に駆動力を伝達する駆動伝達シャフト５３とを備えている。
【００８１】
移動部材の一例としての左側の直動カム５２（以下、左側直動カム５２Ｌとする。）は、本体ケーシング２内において、各現像カートリッジ７の左側に対向配置され、前後方向に延びる側面視略矩形の平板形状に形成されている。左側直動カム５２Ｌは、現像カップリング雄部材３２と現像カップリング雌部材２３とを連結または連結解除するための連結機構部５０と、現像カートリッジ７を感光ドラム５に対して接触または離間させるための接離機構部６１とを備えている。
【００８２】
連結機構部５０は、左側直動カム５２Ｌの上側の大部分（薄手の平板部分）であり、現像カップリング挿通穴５４、カム部５６、ドラムカップリング挿通穴５５を有している。
【００８３】
現像カップリング挿通穴５４は、左側直動カム５２Ｌの上端部において、前後方向に互いに間隔を隔てて４つ並列配置されている。現像カップリング挿通穴５４は、前後方向に長手の側面視略長穴形状に貫通形成されている。また、現像カップリング挿通穴５４の上下方向長さは、現像カップリング雄部材３２の移動シャフト３７（鍔部３５よりも右側の部分）の外径よりも長く、鍔部３５の外径よりも短い。
【００８４】
カム部５６は、左側直動カム５２Ｌの左面において、現像カップリング挿通穴５４の周縁部の後側半分から左側へ突出するように、前側が開放された左側面視略Ｕ字形状に形成されている。なお、最後方のカム部５６は、それ以外のカム部５６よりも前後方向に短く形成されている。
【００８５】
カム部５６は、現像カップリング雄部材３２の移動シャフト３７を進出位置から退避位置へ変位させる変位部５７と、現像カップリング雄部材３２の移動シャフト３７を退避位置に保持する保持部５８とを備えている。
【００８６】
変位部５７は、カム部５６の前端部に設けられ、前側から後側へ向かうに従って次第に突出長さが長くなるように形成されている。つまり、変位部５７の前端面５９は、前側から後側へ向かうに従って左側へ傾斜されている。
【００８７】
保持部５８は、変位部５７の後側に連続されている。保持部５８の左端面６０は、変位部５７の前端面に連続して、前後方向に延びる平面視略直線形状に形成されている。
【００８８】
ドラムカップリング挿通穴５５は、左側直動カム５２Ｌの上下方向略中央において、各現像カップリング挿通穴５４の下側に配置され、前後方向に沿って延びる側面視略長穴形状に貫通形成されている。なお、ドラムカップリング挿通穴５５は、すべてのドラムカップリング雄部材３３が一括して挿通されるような前後方向長さに形成されている。
【００８９】
接離機構部６１は、ドラムカートリッジ１７の左端部の下側に配置されるように、左側直動カム５２Ｌの下端部に連続して設けられ、前後方向に延びる略角柱形状に形成されている。また、接離機構部６１は、連結機構部５０の左右方向長さ（厚み）よりも長い左右方向長さを有し、その右端部が連結機構部５０の右面よりも右側に突出されている。
【００９０】
接離機構部６１には、ラック部６２（図２参照）と、係合溝６３（図３参照）とが形成されている。
【００９１】
ラック部６２は、接離機構部６１の前端部の下面において、前後方向に延びるように形成されている。
【００９２】
係合溝６３は、各現像カップリング挿通穴５４の前側に１つずつ（合計４つ）設けられ、接離機構部６１の右端部の上端縁から下側へ向かって切り欠かれるように、上側が開放された側面視略Ｕ字形状に形成されている。なお、係合溝６３の上端部は、わずかに後上側に傾斜されている。係合溝６３の溝幅は、第２離間部材８２の係合突起９０（後述）の外径よりも長い。
【００９３】
右側の直動カム５２（以下、右側直動カム５２Ｒとする。）は、図４に示すように、本体ケーシング２内において、ドラムカートリッジ１７の右端部の下側に配置され、左側直動カム５２Ｌの接離機構部６１と略同じ形状に形成されている。詳しくは、右側直動カム５２Ｒは、前後方向に延びる略角柱形状に形成されている。また、右側直動カム５２Ｒには、ラック部７１と、係合溝７２とが形成されている。
【００９４】
ラック部７１は、左側直動カム５２Ｌのラック部６２と同様に、右側直動カム５２Ｒの前端部の下面において、前後方向に延びるように形成されている。
【００９５】
係合溝７２は、左側直動カム５２Ｌの係合溝６３と同様に、右側直動カム５２Ｒの左端部の上端縁から下側へ向かって切り欠かれるように、上側が開放された側面視略Ｕ字形状に形成されている。係合溝７２は、左右方向に投影したときに、左側直動カム５２Ｌの各係合溝６３と一致するように、前後方向に互いに間隔を隔てて４つ並列配置されている。
【００９６】
なお、右側直動カム５２Ｒの最後方の係合溝７２、および、接離機構部６１の最後方の係合溝６３には、屈曲溝６４が設けられている。
【００９７】
屈曲溝６４は、最後方の係合溝（係合溝６３および係合溝７２）の上下方向途中から後側へ延び、後端部において上側へ屈曲されている。屈曲溝６４の後端部は、上側へ向かって開放されている。屈曲溝６４の溝幅は、第２離間部材８２の係合突起９０（後述）の外径よりも長い。
【００９８】
第２離間部材８２は、第１離間部材８１の前下側に設けられている。第２離間部材８２は、支持部８６と、係合部８７と、押圧部８８とを一体的に備えている。
【００９９】
支持部８６は、左右方向に厚みを有する略円板形状に形成されている。支持部８６は、回動軸８９を備えている。
【０１００】
回動軸８９は、支持部８６と中心軸線を共有するように、支持部８６の左右方向内面から左右方向内側へ延びる略円柱形状に形成されている。
【０１０１】
係合部８７は、支持部８６の下側部分から下方へ延びる略杆形状に形成されている。係合部８７は、係合突起９０を備えている。
【０１０２】
係合突起９０は、係合部８７の下端部に設けられ、係合部８７の左右方向外面から左右方向外側へ延びる略円柱形状に形成されている。
【０１０３】
押圧部８８は、回動軸８３の上側部分から上方へ延びる略形状に形成されている。
【０１０４】
そして、第２離間部材８２は、係合部８７の下端部が、左側直動カム５２Ｌの接離機構部６１、および、右側直動カム５２Ｒの上側に対向され、押圧部８８の上端部が、第１離間部材８１の被当接部８４の前上側に対向されるように、回動軸８９において、本体ケーシング２内に回動可能に支持されている。
【０１０５】
第２離間部材８２は、押圧部８８が第１離間部材８１の被当接部８４に向かって後下側へ進出する押圧位置（図４参照）と、押圧部８８が第１離間部材８１の被当接部８４から前上側に退避される押圧解除位置（図１２参照）とに、回動軸８９を支点として回動される。第２離間部材８２は、常には、押圧解除位置に配置されるように、図示しない付勢部材（コイルばねなど）によって、左側面視時計回り方向に付勢されている。
【０１０６】
駆動伝達シャフト５３は、図２に示すように、両直動カム５２の前端部の下側に位置固定されている。駆動伝達シャフト５３は、シャフト７６と、２つのピニオンギヤ７７とを備えている。
【０１０７】
シャフト７６は、左右方向に延びる略円柱形状に形成されている。また、シャフト７６の左端部は、左側直動カム５２Ｌのラック部６２の下側に対向配置されており、シャフト７６の右端部は、右側直動カム５２Ｒのラック部７１の下側に対向配置されている。
【０１０８】
ピニオンギヤ７７は、シャフト７６の左右方向両端部に１つずつ相対回転不能に支持されている。左側のピニオンギヤ７７は、左側直動カム５２Ｌのラック部６２に噛合され、右側のピニオンギヤ７７は、右側直動カム５２Ｒのラック部７１に噛合されている。
【０１０９】
なお、左側直動カム５２Ｌは、連結機構を構成する。また、ドラムカートリッジ１７の第１離間部材８１、第２離間部材８２、左側直動カム５２Ｌの接離機構部６１、右側直動カム５２Ｒおよび駆動伝達シャフト５３は、接離機構を構成する。また、左側直動カム５２Ｌは、接離機構部６１において、接離機構を兼ねる。
【０１１０】
そして、直動カム機構５１は、両直動カム５２のラック部（ラック部６２およびラック部７１）の前端部にピニオンギヤ７７が噛合される第１位置（図１２参照）と、両直動カム５２のラック部（ラック部６２およびラック部７１）の前後方向中央にピニオンギヤ７７が噛合される第２位置（図８参照）と、両直動カム５２のラック部（ラック部６２およびラック部７１）の後端部にピニオンギヤ７７が噛合される第３位置（図４参照）とに変位される。
５．モード切り替え動作
図３〜図１２を参照しながら、プリンタ１のモード切り替え動作を説明する。
【０１１１】
プリンタ１は、画像を印刷しない全離間モードと、モノクロ画像を印刷するモノクロ印刷モードと、カラー画像を印刷するカラー印刷モードとに切り替えられる。
（１）全離間モード
図３および図４に示すように、プリンタ１が全離間モードのときには、直動カム機構５１は、第３位置に変位されている。
【０１１２】
このとき、すべての現像カップリング雄部材３２の移動シャフト３７は、鍔部３５が、左側直動カム５２Ｌのカム部５６の保持部５８に左側から当接されて、付勢部材（図示せず）の付勢力に抗して、退避位置に配置されている。
【０１１３】
また、すべての現像カップリング雌部材２３は、対応する現像カップリング雄部材３２の右側に対向配置されている。つまり、すべての現像カップリング雄部材３２と現像カップリング雌部材２３との連結は、解除されている。
【０１１４】
また、すべての第２離間部材８２は、係合突起９０が、各係合溝（係合溝６３および係合溝７２）および屈曲溝６４の後側において、接離機構部６１または右側直動カム５２Ｒの上面に当接されることにより、付勢部材（図示せず）の付勢力に抗して押圧位置に配置されている。
【０１１５】
また、すべての第１離間部材８１は、それらの被当接部８４が第２離間部材８２の押圧部８８によって後下側へ押圧されることにより、押圧位置に配置されている。
【０１１６】
そして、すべての現像カートリッジ７は、それらの離間係合部２７が第１離間部材８１の押圧部８５によって前上側へ押圧されることにより、対応する感光ドラム５から前上側へ離間されている。
【０１１７】
そして、モータ１００（図２参照）が駆動されると、各ドラムカップリング雄部材３３が左側面視時計回りに回転されるとともに、各現像カップリング雄部材３２が左側面視時計回りに回転される。
【０１１８】
すると、各ドラムカップリング雄部材３３から、対応するドラムカップリング雌部材（図示せず）を介して各感光ドラム５に駆動力が入力されることにより、すべての感光ドラム５が回転される。
【０１１９】
一方、上記したように、各現像カップリング雄部材３２と各現像カップリング雌部材２３との連結が解除されているため、現像カップリング雌部材２３には、モータ１００の駆動が入力されず、すべての現像ローラ９は回転されない。
【０１２０】
その結果、現像ローラ９から感光ドラム５へトナーが供給されず、感光ドラム５の表面に画像が形成されない。つまり、全離間モードでは、画像が印刷されない。
（２）モノクロ印刷モード
プリンタ１を全離間モードからモノクロ印刷モードに切り替えるには、駆動伝達シャフト５３を左側面視反時計回りに回転させて、両直動カム５２を後側（直交方向他方）へ移動させる。
【０１２１】
すると、図５に示すように、最後方（ブラック）の現像カップリング雄部材３２の鍔部３５がカム部５６の変位部５７に対向され、ブラックの現像カップリング雄部材３２の移動シャフト３７が、付勢部材（図示せず）の付勢力により、変位部５７の前端面５９の傾斜に沿って退避位置から進出位置へ移動され始める。
【０１２２】
すると、ブラックの現像カップリング雄部材３２がブラックの現像カップリング雌部材２３にわずかに連結（嵌合凸部３９の先端（右端部）のみが嵌合凹部２４内に嵌合された状態）される。
【０１２３】
このとき、モータ１００が駆動されていると、嵌合凸部３９の先端が嵌合凹部の左側面視時計回り方向下流側の端面２５に当接されて、現像カップリング雄部材３２から現像カップリング雌部材２３に駆動力が伝達され、ブラックの現像カートリッジ７の現像ローラ９が回転される。
【０１２４】
また、このとき、図６に示すように、すべての第２離間部材８２は、付勢部材（図示せず）の付勢力に抗して、押圧位置に配置されている。
【０１２５】
これにより、すべての第１離間部材８１は、押圧位置に配置され、すべての現像カートリッジ７は、対応する感光ドラムから前上側へ離間されている。
【０１２６】
つまり、ブラックの現像ローラ９は、回転しながら、ブラックの感光ドラム５の前上側に間隔を隔てて対向されている。なお、このとき、ブラックの現像カップリング雄部材３２の移動シャフト３７は、その右端部がわずかに前上側に揺動された状態で、ブラックの現像カップリング雌部材２３に連結されている。
【０１２７】
そして、さらに駆動伝達シャフト５３を左側面視反時計回りに回転させて、両直動カム５２を後側へ移動させると、図７に示すように、直動カム機構５１が第２位置に変位され、ブラックの現像カップリング雄部材３２の鍔部３５がカム部５６の変位部５７の前側に対向配置される。
【０１２８】
すると、ブラックの現像カップリング雄部材３２の移動シャフト３７が、進出位置に配置される。これにより、ブラックの現像カップリング雄部材３２がブラックの現像カップリング雌部材２３に完全に連結（嵌合凸部３９のほぼすべてが嵌合凹部２４内に嵌合された状態）される。
【０１２９】
なお、カラーの現像カップリング雄部材３２の移動シャフト３７は、上記した全離間モードと同様に、退避位置に配置されている。つまり、カラーの現像カップリング雄部材３２と、カラーの現像カップリング雌部材２３との連結は、解除されている。
【０１３０】
このとき、図８に示すように、ブラックの現像カートリッジ７に対応する第２離間部材８２は、付勢部材（図示せず）の付勢力により、屈曲溝６４の後端部内に嵌合されるように左側面視時計回りに回動され、押圧解除位置に配置される。
【０１３１】
すると、ブラックの現像カートリッジ７に対応する第１離間部材８１は、その被当接部８４に対する第２離間部材８２からの押圧が解除されることにより、押圧解除位置に配置される。
【０１３２】
そして、ブラックの現像カートリッジ７は、その離間係合部２７に対する第１離間部材８１からの押圧が解除されることにより、対応する感光ドラム５に前上側から接触される。一方、カラーの現像カートリッジ７は、上記した全離間モードと同様に、対応する感光ドラム５から前上側へ離間されている。
【０１３３】
これにより、ブラックの現像ローラ９からブラックの感光ドラム５へトナーが供給され、ブラックの感光ドラム５の表面に画像が形成される。また、上記した全離間モードと同様に、カラーの現像ローラ９からカラーの感光ドラム５へトナーが供給されず、カラーの感光ドラム５の表面に画像が形成されない。
【０１３４】
その結果、モノクロ印刷モードでは、モノクロ画像が印刷される。
（３）カラー印刷モード
プリンタ１をモノクロ印刷モードからカラー印刷モードに切り替えるには、駆動伝達シャフト５３を左側面視反時計回りに回転させて、両直動カム５２をさらに後側へ移動させる。
【０１３５】
すると、図９に示すように、カラーの現像カップリング雄部材３２の鍔部３５がカム部５６の変位部５７に対向され、カラーの現像カップリング雄部材３２の移動シャフト３７が、付勢部材（図示せず）の付勢力により、変位部５７の前端面５９の傾斜に沿って退避位置から進出位置へ移動され始める。
【０１３６】
すると、カラーの現像カップリング雄部材３２がカラーの現像カップリング雌部材２３にわずかに連結（嵌合凸部３９の先端（右端部）のみが嵌合凹部２４内に嵌合された状態）される。
【０１３７】
このとき、モータ１００が駆動されていると、嵌合凸部３９の先端が嵌合凹部の左側面視時計回り方向下流側の端面２５に当接されて、現像カップリング雄部材３２から現像カップリング雌部材２３に駆動力が伝達され、カラーの現像カートリッジ７の現像ローラ９が回転される。
【０１３８】
また、このとき、図１０に示すように、カラーの現像カートリッジ７に対応する第２離間部材８２は、付勢部材（図示せず）の付勢力に抗して、押圧位置に配置されている。
【０１３９】
これにより、カラーの現像カートリッジ７に対応する第１離間部材８１は、押圧位置に配置され、カラーの現像カートリッジ７は、対応する感光ドラム５から前上側へ離間されている。
【０１４０】
つまり、カラーの現像ローラ９は、回転しながら、カラーの感光ドラム５の前上側に間隔を隔てて対向されている。このとき、カラーの現像カップリング雄部材３２の移動シャフト３７は、その右端部がわずかに前上側に揺動された状態で、カラーの現像カップリング雌部材２３に連結されている。
【０１４１】
そして、さらに駆動伝達シャフト５３を左側面視反時計回りに回転させて、両直動カム５２を後側へ移動させると、図１１に示すように、直動カム機構５１が第１位置に変位され、カラーの現像カップリング雄部材３２の鍔部３５がカム部５６の変位部５７の前側に対向配置される。
【０１４２】
すると、カラーの現像カップリング雄部材３２の移動シャフト３７が、進出位置に配置される。
【０１４３】
これにより、すべての現像カップリング雄部材３２が対応する現像カップリング雌部材２３に完全に連結（嵌合凸部３９のほぼすべてが嵌合凹部２４内に嵌合された状態）される。
【０１４４】
このとき、図１２に示すように、カラーの現像カートリッジ７に対応する第２離間部材８２は、付勢部材（図示せず）の付勢力により、係合溝６３内に嵌合されるように左側面視時計回りに回動され、押圧解除位置に配置される。
【０１４５】
すると、カラーの現像カートリッジ７に対応する第１離間部材８１は、その被当接部８４に対する第２離間部材８２からの押圧が解除されることにより、押圧解除位置に配置される。
【０１４６】
そして、カラーの現像カートリッジ７は、その離間係合部２７に対する第１離間部材８１からの押圧が解除されることにより、対応する感光ドラム５に前上側から接触される。      
【０１４７】
これにより、すべての現像カートリッジ７が対応する感光ドラム５に前上側から接触されて、すべての現像ローラ９から対応する感光ドラム５へトナーが供給され、すべての感光ドラム５の表面に画像が形成される。
【０１４８】
その結果、カラー印刷モードでは、カラー画像が印刷される。
（４）カラー印刷モードからのモード切り替え動作
また、カラー印刷モードからモノクロ印刷モードまたは全離間モードに切り替えるときには、上記したモード切り替え動作とは逆に、両直動カム５２を移動させる。
【０１４９】
具体的には、駆動伝達シャフト５３を左側面視時計回りに回転させて、両直動カム５２をさらに前側（直交方向一方）へ移動させる。
【０１５０】
すると、図９および図１０に示すように、カラー印刷モードからモノクロ印刷モードへの切り替え途中において、カラーの現像ローラ９が回転されている状態で、カラーの現像カートリッジ７が対応する感光ドラム５に前上側へ離間される。
【０１５１】
その後、図７および図８に示すように、カラーの現像カートリッジ７に対する駆動伝達が解除される。つまり、接離機構がカラーの現像ローラ９をカラーの感光ドラム５から離間させた後に、直動カム機構５１が第２位置に配置される。
【０１５２】
また、図５および図６に示すように、モノクロ印刷モードから全離間モードへの切り替え途中において、ブラックの現像ローラ９が回転されている状態で、ブラックの現像カートリッジ７が対応する感光ドラム５に前上側へ離間される。
【０１５３】
その後、図３および図４に示すように、ブラックの現像カートリッジ７に対する駆動伝達が解除される。つまり、接離機構がブラックの現像ローラ９をブラックの感光ドラム５から離間させた後に、直動カム機構５１が第３位置に変位される。
６．作用効果
（１）このプリンタ１によれば、図１１に示すように、直動カム機構５１を第１位置に変位させたときには、すべての現像ローラ９に駆動力を伝達することができ、図７に示すように、直動カム機構５１を第２位置に変位させたときには、ブラックの現像ローラ９のみに駆動力を伝達することができる。
【０１５４】
そのため、直動カム機構５１によって、カラーの現像カップリング雄部材３２と、カラーの現像カップリング雌部材２３とを連結または連結解除して、カラー印刷モードとモノクロ印刷モードとを切り替えることができる。
（２）また、このプリンタ１によれば、図８に示すように、カラーの現像ローラ９の駆動を停止させるとともに、カラーの現像ローラ９をカラーの感光ドラム５から離間させることができる。
【０１５５】
そのため、カラーの感光ドラム５の駆動に追従してカラーの現像ローラ９が回転しないので、カラーの現像ローラ９とカラーの感光ドラム５との摺擦による劣化を抑制することができる。
（３）また、このプリンタ１によれば、カラー印刷モードからモノクロ印刷モードに切り替えるときに、図９および図１０に示すように、カラーの現像ローラ９をカラーの感光ドラム５から離間させた後に、図７および図８に示すように、カラーの現像ローラ９の駆動を停止させることができる。
【０１５６】
このような構成により、カラーの現像ローラ９の駆動を停止した後にカラーの現像ローラ９を感光ドラム５から離間させる場合と比べ、互いの（現像ローラ９と感光ドラム５との）周速差が低減されるため、カラーの現像ローラ９とカラーの感光ドラム５との摩擦抵抗が増大することを抑制できる。
【０１５７】
そのため、カラーの現像ローラ９とカラーの感光ドラム５との摺擦による劣化をより抑制することができる。
（４）また、このプリンタ１によれば、図３、図７および図１１に示すように、左側直動カム５２Ｌを前後方向にスライド移動させることにより、各現像カップリング雄部材３２を各現像カップリング雌部材２３に対して連結または連結解除させることができる。
【０１５８】
そのため、簡易な構成で、各モード（全離間モード、モノクロ印刷モードおよびカラー印刷モード）を切り替えることができる。
（５）また、このプリンタ１によれば、図２に示すように、左側直動カム５２Ｌは、接離機構部６１において、接離機構を兼ねる。
【０１５９】
そのため、直動カム機構５１の部品点数を低減することができる。
（６）また、このプリンタ１によれば、図３および図４に示すように、すべての現像ローラ９の駆動を停止させる全離間モードに切り替えることができる。
【０１６０】
また、各感光ドラム５が駆動に追従して各現像ローラ９が回転しないので、各現像ローラ９と各感光ドラム５との摺擦による劣化を抑制することができる。
（７）また、このプリンタ１によれば、モノクロ印刷モードから全離間モードに切り替えるときに、図４および図６に示すように、ブラックの現像ローラ９をブラックの感光ドラム５から離間させた後に、図３および図５に示すように、ブラックの現像ローラ９の駆動を停止させることができる。
【０１６１】
そのため、上記したカラーの現像ローラ９の駆動を停止させる場合と同様に、ブラック現像ローラとブラックの感光ドラム５との摺擦による劣化をより抑制することができる。
（８）また、このプリンタ１によれば、図５に示すように、ブラックの現像カップリング雄部材３２と現像カップリング雌部材２３とが連結された状態で、図６に示すように、ブラックの現像ローラ９をブラックの感光ドラム５から離間させることができる。
【０１６２】
また、図９に示すように、カラーの現像カップリング雄部材３２と現像カップリング雌部材２３とが連結された状態で、図１０に示すように、カラーの現像ローラ９をカラーの感光ドラム５から離間させることができる。
（９）また、このプリンタ１によれば、図２に示すように、すべての現像カップリング雄部材３２を、共通のモータ１００で駆動させることができる。
【０１６３】
そのため、プリンタ１の構成を簡略化することができる。
（１０）また、このプリンタ１によれば、図２に示すように、すべての感光ドラム５を、共通のモータ１００で駆動させることができる。
【０１６４】
そのため、プリンタ１の構成を、より簡略化することができる。
【符号の説明】
【０１６５】
１      プリンタ
５      感光ドラム
９      現像ローラ
２３    現像カップリング雌部材
３２    現像カップリング雄部材
５１    直動カム機構
５２Ｌ  左側直動カム
５２Ｒ  右側直動カム
５３    駆動伝達シャフト
８１    第１離間部材
８２    第２離間部材
１００  モータ
【図１】
0005866932.tif 000002
【図２】
0005866932.tif 000003
【図３】
0005866932.tif 000004
【図４】
0005866932.tif 000005
【図５】
0005866932.tif 000006
【図６】
0005866932.tif 000007
【図７】
0005866932.tif 000008
【図８】
0005866932.tif 000009
【図９】
0005866932.tif 000010
【図１０】
0005866932.tif 000011
【図１１】
0005866932.tif 000012
【図１２】
0005866932.tif 000013